(57)【要約】【課題】  瓶の上部に対して瓶用ディスプレー補助具を安定な状態で取り付けられるようにする。【解決手段】  シート２の下方に直線状の切り込み３により取り付け用の帯４を形成するとともに、シート２に表示体５を形成し、またシート２の上方にＵ字状の切り込み８と円形の抜き孔９とにより保持片１０を形成してなり、帯４をシート２の前面方向に、表示体５をシート２の背面方向にそれぞれ湾曲させ、切り込み３の部分に形成される孔を瓶７の肩部に差し込み、また、保持片１０の抜き孔９を瓶７の頭部に差し込むことにより、シート２を瓶７に取り付け、さらにシート２の両縁部分を後方に折り曲げる。【選択図】      図１
0003104635.tif 000002
【実用新案登録請求の範囲】
【請求項１】
シート（２）の下方に直線状の切り込み（３）により切り込み（３）を境として、シート（２）の一方の帯状の部分を取り付け用の帯（４）を形成するとともに、シート（２）の他方の部分を表示体（５）とし、またシート（２）の上方にＵ字状の切り込み（８）とその切り込み（８）内の円形の抜き孔（９）により保持片（１０）を形成してなり、帯（４）をシート（２）の前面方向に湾曲させ、また表示体（５）をシート（２）の背面方向に湾曲させ、切り込み（３）の部分に形成される孔を瓶（７）の肩部に差し込み、また、保持片（１０）を前側に折り曲げて、抜き孔（９）を瓶（７）の頭部に差し込むことにより、シート（２）を瓶（７）に取り付けることを特徴とする瓶用ディスプレー補助具（１）。
【請求項２】
シート（２）の下方に直線状の切り込み（３）により切り込み（３）を境として、シート（２）の一方の帯状の部分を取り付け用の帯（４）を形成するとともに、シート（２）の他方の部分を表示体（５）とし、またシート（２）の上方にＵ字状の切り込み（８）とその切り込み（８）内の円形の抜き孔（９）により保持片（１０）を形成してなり、帯（４）をシート（２）の前面方向に湾曲させ、また表示体（５）をシート（２）の背面方向に湾曲させ、切り込み（３）の部分に形成される孔を瓶（７）の肩部に差し込み、また、保持片（１０）を前側に折り曲げて、抜き孔（９）を瓶（７）の頭部に差し込むことにより、シート（２）を瓶（７）に取り付け、さらにシート（２）の両縁部分を後方に折り曲げて、補強片（１２）を形成し、この補強片（１２）によりシート（２）に剛性を付与することを特徴とする瓶用ディスプレー補助具（１）。
【考案の詳細な説明】
【技術分野】
【０００１】
本考案は、清酒、ワインや醤油などの瓶詰め商品を店頭で陳列し、販売促進の目的で使用するディスプレー用の補助具に関する。
【背景技術】
【０００２】
清酒、ワインや醤油などは、店頭の棚などに置かれ、瓶の商標ラベルなどを表示することによって、消費者に銘柄を目で確認しやすいように陳列される。各種の商品が一様な状態で陳列されると、瓶自体の外観がほとんど同じであることから、特定の商品に対する注目度が低く、特定の商品についての販売促進が有効に働かない。一方、店頭で、価格表示や銘柄表示などの下げ札や、ポスターなどが用いられている。しかし、それらは店頭の商品との対応関係が明確でなく、特定の商品を直接に消費者に認識させる手段として充分なものといい難い。
【０００３】
そこで、考案者は、特許文献１により、瓶詰め商品にディスプレー用の補助具を直接取り付け、特定の商品を消費者に対して直接に視認しやすい状態とすることを目的として、ディスプレー用の補助具を考案した。そのディスプレー用の補助具は、実際の販売現場で採用され、狙いどうりの機能を発揮しているが、瓶に対する取り付け状態で不安定で、使用途中で傾くなどの欠点を有している。
【特許文献１】実用新案登録第３０６２１５５号
【考案の開示】
【考案が解決しようとする課題】
【０００４】
したがって、本考案の課題は、瓶に対してディスプレー補助具を安定な状態で取り付けられるようにすることである。
【課題を解決するための手段】
【０００５】
そこで本考案は、適当な形状のシートの下方に直線状の切り込みにより切り込みを境として、シートの一方の帯状の部分を取り付け用の帯を形成するとともに、シートの他方の部分を表示体とし、またシートの上方にＵ字状の切り込みとその切り込み内の円形の抜き孔により保持片を形成して、瓶用ディスプレー補助具を構成し、帯をシートの前面方向に湾曲させ、また表示体をシートの背面方向に湾曲させ、切り込みの部分に形成される孔を瓶の肩部に差し込み、また、保持片を前側に折り曲げて、抜き孔を瓶の頭部に差し込むことにより、シートを瓶に取り付けるようにしている（請求項１）。
【０００６】
また、本考案は、適当な形状のシートの下方に直線状の切り込みにより切り込みを境として、シートの一方の帯状の部分を取り付け用の帯を形成するとともに、シートの他方の部分を表示体とし、またシートの上方にＵ字状の切り込みとその切り込み内の円形の抜き孔により保持片を形成して、瓶用ディスプレー補助具を構成し、帯をシートの前面方向に湾曲させ、また表示体をシートの背面方向に湾曲させ、切り込みの部分に形成される孔を瓶の肩部に差し込み、また、保持片を前側に折り曲げて、抜き孔を瓶の頭部に差し込むことにより、シートを瓶に取り付け、さらにシートの両縁部分を後方に折り曲げて、補強片を形成し、この補強片によりシートに剛性を付与するようにしている（請求項２）。
【考案の効果】
【０００７】
本考案では、瓶の頭部に視認しやすい形態の瓶用ディスプレー補助具が簡単に取り付けられ、その商品が店頭で強調できるため、販売促進の目的が充分に達成できること、またプラスチックシートまたは厚紙の裁断と切り込みによって、瓶用ディスプレー補助具が簡単に製作できるため、瓶用ディスプレー補助具が安価に提供できること、また瓶に対し瓶用ディスプレー補助具を取り付けた状態で、ディスプレー補助具が立体的な形態となり、瓶の頭部に簡単に取り付けられるため、取り扱いも容易であり、簡易な販売促進用のディスプレー補助具として適切であること、などの実用上の効果が得られる。特に、帯と表示体とが瓶の肩部を挟み込み、同時に保持片の抜き孔が瓶の頭部に差し込まれるので、シートは瓶に対して安定に取り付けられるという特有の効果が得られる（請求項１）。
【０００８】
また、本考案では、シートの両縁部分に補強片が形成されるから、シートに剛性が付与されるたから、厚紙などで構成しても、充分な強度が得られこと、さらにシートが立体的な厚みのある形態となるから、外観上も良好なものとなる（請求項２）。
【考案を実施するための最良の形態】
【０００９】
図１ないし図３は、本考案に係る瓶用ディスプレー補助具１を示している。瓶用ディスプレー補助具１は、プラスチックシートまたは厚紙などを適当な形状例えば台形状に裁断したシート２によって構成されている。シート２の裁断時に、下辺に平行な切り込み３が形成され、この切り込み３を境として、シート２の一方の下部分に、取り付け用の帯４が形成され、またシート２の他方の上部分に表示体５が形成される。さらに、シート２の上方にＵ字状の切り込み８とその切り込み８内の円形の抜き孔９により保持片１０が形成され、この保持片１０は折り曲げ線１１により折り曲げられるようになっている。また、必要に応じ、左右の斜めの辺に沿いかつ切り込み３の端部に、折り曲げ線６が形成され、折り曲げ線６の外縁に補強片１２が形成されている。
【００１０】
この瓶用ディスプレー補助具１の使用時に、使用者は、帯４を前面方向に湾曲させ、また他方の表示体５を背面方向に湾曲させることによって、切り込み３の部分に形成される孔の部分を清酒、ワインや醤油の瓶７の肩部に差し込むとともに、保持片１０を前側に折り曲げて、抜き孔９を瓶７の頭部に差し込む。このようにすると、帯４および表示体５は瓶７の肩の部分を挟み込んで、摩擦的に係止され、同時に保持片１０は瓶７の頭部で表示体５を保持、その前後左右の傾きを防止する。このため、瓶用ディスプレー補助具１は、瓶７の上部に安定な状態で取り付けられる。もちろん、帯４や表示体５には、注目しやすい色の着色がなされ、またその表面に販売促進のための標語、その商品の商標や説明、その他の発売情報などが記載されている。
【００１１】
この取り付け状態で、瓶７の頭部は、大きな面積の表示体５を持つことになるため、店頭で視認しやすい状態となっている。帯４や表示体５には、注目しやすい着色や販売促進のための標語などがあるから、消費者は、店頭で帯４や表示体５を視覚的に読み取り、商品情報などを理解し、購買の判断をする。
【００１２】
さらに必要に応じ、シート２の両縁の補強片１２を折り曲げ線１１により後方に折り曲げると、瓶７の外周面に沿って湾曲しているシート２の両端縁部に稜線が形成されるために全体として、表示体５の剛性が高まる。このため、シート２が薄い厚紙やプラスチックシートであっても、自重で前後に折り曲がることなく、所定の姿勢を維持する。しかも、ディスプレー補助具１に立体観が付与され、その美的な体裁がよくなる。
【００１３】
なお、シート２を透明なプラスチックシートなどにより構成し、不透明、半透明あるいは蛍光性の印刷インクなどによって部分的に印刷すれば、印刷面でない部分のみを透明な状態つまり透明窓とすることもできる。また、表示体５を鏡面印刷とすれば、表示体５が凹面鏡となるため、展示室の照明光を瓶７の背面光として利用し、瓶７の内部の酒やワインなどを照射することにより、陳列効果を一層高めることもできる。
【図面の簡単な説明】
【００１４】
【図１】本考案に係る瓶用ディスプレー補助具１を瓶詰め商品としての瓶７の上部に取り付けた状態の正面図である。
【図２】本考案に係る瓶用ディスプレー補助具１を瓶詰め商品としての瓶７の頭部に取り付けた状態の側面図である。
【図３】本考案に係る瓶用ディスプレー補助具１を瓶詰め商品としての瓶７の頭部に取り付けた状態の平面図である。
【符号の説明】
【００１５】
１  瓶用ディスプレー補助具
２  シート
３  切り込み
４  取り付け用の帯
５  表示体
６  折り曲げ線
７  瓶
８  切り込み
９  抜き孔
１０  保持片
１１  折り曲げ線
１２  補強片
【図１】
0003104635.tif 000003
【図２】
0003104635.tif 000004
【図３】
0003104635.tif 000005